(57)【要約】      （修正有）【課題】Ｘ字型脚を有する折り畳み椅子のＸ字型脚下端を地面に固定しておくことができる脚下端連結具を提供する。【解決手段】脚下端連結具８は略正方形の板２０と、その上面に立設した円形断面の内孔２１を有する略円筒状の嵌合部２２と、その外面から内孔の中心線から放射方向に延出した第１の立壁２３と、第１の立壁と嵌合部の接合部から第１の立壁に直交する方向に延出した第２の立壁２４を設ける。第１、第２の立壁にはＸ字型脚のパイプ下端を固定する第１、第２の丸孔２６，２７を形成し、略円筒状の嵌合部の壁には長寸パイプの下端を固定する第３、第４の丸孔２８，２９を形成する。第１の立壁の第２の立壁とは反対側の側方には板を貫く第５の丸孔３０を設ける。第５の丸孔は丸孔を通して杭を地中に打ち込んで脚下端連結具を地面に固定するために使用する。【選択図】図４
0003188028.tif 000002
【実用新案登録請求の範囲】
【請求項１】
椅子本体の前側、後側、左側、右側に２本のパイプを中央部でＸ字状に連結交差させたＸ字型脚を有し、後側左右には鉛直に延びる長寸パイプを有する折り畳み椅子において、前左側下部、前右側下部においては隣接する前記Ｘ字型脚の２本のパイプ下端を連結し、後左側下部、後右側下部においては隣接する前記Ｘ字型脚の２本のパイプ下端と前記長寸パイプ下端を連結するための折り畳み椅子の脚下端連結具であって、
該脚下端連結具は、略正方形の板と、該板の上面に立設した円形断面の内孔を有する略円筒状の嵌合部と、該略円筒状の嵌合部の外面から前記内孔の中心線から放射方向に前記板の縁まで延出された第１の立壁と、該第１の立壁と前記嵌合部の接合部から該第１の立壁に直交する方向に前記板の縁まで延出された第２の立壁とからなり、前記第１の立壁と第２の立壁には前記嵌合部との接合部から前記Ｘ字型脚のパイプ径の１．２〜２倍離れた位置に立壁の表裏を貫く第１、第２の丸孔が形成されており、前記略円筒状の嵌合部壁には内孔中心に向けて第３、第４の丸孔が形成されており、前記第１の立壁の前記第２の立壁とは反対側の側方には前記板を貫く第５の丸孔が形成されており、
前記第１、第２の丸孔は前記Ｘ字型脚のパイプ下端を固定するためのものであり、前記第３、第４の丸孔は前記内孔に挿入した長寸パイプ下端を固定するためのものであり、前記第５の丸孔は該丸孔を通して杭を地中に打ち込んで脚下端連結具を地面に固定するためのものであることを特徴とする折り畳み椅子の脚下端連結具。
【考案の詳細な説明】
【技術分野】
【０００１】
本考案は、Ｘ字型脚部を有する折り畳み椅子の脚下端に取り付けて隣り合うＸ字型脚の２〜３本のパイプを回動自在に連結するための脚下端連結部品に関する。
【背景技術】
【０００２】
湖畔での釣りやキャンプ、海辺でのレジャー等を楽しむ際、背もたれがあって心地よく座れる椅子があると楽しさも倍加する。こうした要望に応え、軽量で持ち運びに便利な折り畳み式椅子が数多く提案されている。折り畳み方式は多種提案されており、その一つにＸ字型構造の脚を採用した折り畳み椅子（例えば、特許文献１〜３参照）がある。図１１は、そのようなＸ字型脚を有する折り畳み椅子の例である。この折り畳み椅子５０は、前、後、左、右に取り付けた４個のＸ字型脚５１と、背もたれ部５２を支える２本の長寸パイプ５３と、座面と背もたれ部を構成するシート材５４と、一対の肘置きシート５５とから構成されている。各Ｘ字型脚５１は２本のパイプを中央部でＸ字状に交差させたもので、各Ｘ字型脚５１のパイプの上部及び下部は隣接するＸ字型脚５１の上部及び下部とそれぞれ支持具５６、連結具５７を用いて連結されている。交差部、支持具、連結具では各パイプは回動可能に接続してあり、前後のＸ字型脚５１間、左右のＸ字型脚５１間の間隔を狭めるように折り曲げると、椅子５０は１０本のパイプが寄り集まった状態に折り畳まれる。
【０００３】
このような折り畳み椅子はコンパクトに折り畳むことできて持ち運びに便利であり、座り心地もよいため海辺や湖畔でのキャンプで使用するには都合がよい。しかし、海辺や湖畔では日差しが強いため、それを遮るためのパラソルをこの椅子に取り付けることが多くなっている。パラソルを取り付けた場合は、この折り畳み椅子が軽量であることの利点がわざわいする。即ち、人が座っていないときに少し風が吹くと椅子が転倒したり、風がない状態でもパラソルの重量により重心移動して椅子が傾いたり転倒したりするといった問題が生ずる。
【先行技術文献】
【特許文献】
【０００４】
【特許文献１】特開２００１−２２５０３３号公報
【特許文献２】特開２００４−１０５５５７号公報
【特許文献３】特開２０１２−１６３７５号公報
【考案の開示】
【考案が解決しようとする課題】
【０００５】
本考案は、従来技術のこうした問題点を解決するためになされたもので、その課題は、Ｘ字型脚を有する折り畳み椅子にパラソル、その他を取り付けた場合でも椅子がバランスを崩して転倒することがないように、Ｘ字型脚の下端を地面に固定しておくことのできる折り畳み椅子の脚下端連結具を提供することにある。
【課題を解決するための手段】
【０００６】
前記課題を解決するための請求項１に記載の考案は、椅子本体の前側、後側、左側、右側に２本のパイプを中央部でＸ字状に連結交差させたＸ字型脚を有し、後側左右には鉛直に延びる長寸パイプを有する折り畳み椅子において、前左側下部、前右側下部においては隣接するＸ字型脚の２本のパイプ下端を連結し、後左側下部、後右側下部においては隣接するＸ字型脚の２本のパイプ下端と長寸パイプ下端を連結するための折り畳み椅子の脚下端連結具であって、該脚下端連結具は、略正方形の板と、該板の上面に立設した円形断面の内孔を有する略円筒状の嵌合部と、該略円筒状の嵌合部の外面から内孔の中心線から放射方向に板の縁まで延出された第１の立壁と、該第１の立壁と嵌合部の接合部から第１の立壁に直交する方向に板の縁まで延出された第２の立壁とからなり、第１の立壁と第２の立壁には嵌合部との接合部からＸ字型脚のパイプ径の１．２〜２倍離れた位置に立壁の表裏を貫く第１、第２の丸孔が形成されており、略円筒状の嵌合部壁には内孔中心に向けて第３、第４の丸孔が形成されており、第１の立壁の第２の立壁とは反対側の側方には前記板を貫く第５の丸孔が形成されており、第１、第２の丸孔はＸ字型脚のパイプ下端を固定するためのものであり、第３、第４の丸孔は内孔に挿入した長寸パイプ下端を固定するためのものであり、第５の丸孔は該丸孔を通して杭を地中に打ち込んで脚下端連結具を地面に固定するためのものであることを特徴とする折り畳み椅子の脚下端連結具である。
【０００７】
このような構成の折り畳み椅子では、各脚下端連結具に第５の丸孔が設けてあるので、その第５の丸孔を通して杭を地面に打ち込むことにより折り畳み椅子を地面に固定することができる。これにより、日差しを避けるためのパラソルを取り付けた状態で椅子から離れている間に風が吹いても椅子の転倒が防止される。パラソルの重量により重心移動して椅子が傾いたり転倒したりすることも防止される。
【図面の簡単な説明】
【０００８】
【図１】本考案に係る脚下端連結具を採用した折り畳み椅子１の外観斜視図である。
【図２】シート部を透視で描いた折り畳み椅子１の外観斜視図である。
【図３】折り畳み椅子１の骨組み構造の斜視図である。
【図４】脚下端連結具８の外観斜視図である。
【図５】別の角度から見た脚下端連結具８の外観斜視図である。
【図６】脚下端連結具８の平面図である。
【図７】前右側下端の脚下端連結具８ｂとパイプとの連結状態を示す斜視図である。
【図８】後左側下端の脚下端連結具８ｃとパイプとの連結状態を示す斜視図である。
【図９】前右側下端の脚下端連結具８ｂを杭３３で地面に固定した状態の斜視図である。
【図１０】後左側下端の脚下端連結具８ｃを杭３３で地面に固定した状態の斜視図である。
【図１１】Ｘ字型脚部を有する従来の折り畳み椅子の例である。
【考案を実施するための形態】
【０００９】
以下、本考案に係る折り畳み椅子の脚下端連結具の一実施形態について図面を参照して説明する。図１は、本考案に係る脚下端連結具を採用した一例としての折り畳み椅子１の外観斜視図、図２はシート部を透視で描いた斜視図、図３は骨組み構造の斜視図である。折り畳み椅子１は座面部と背もたれ部を構成するシート部材２と、一対の肘置きシート部材３ａ、３ｂと、それらを支持する図２に示す椅子本体４とから構成される。椅子本体４はパイプを組み合わせて構成されており、結合部、挿通部は回動自在、摺動自在に結合されていて、折り畳み椅子１は１０本のパイプが寄り集まった柱状に折り畳み可能になっている。
【００１０】
椅子本体４は、前側、後側、左側、右側に２本のパイプを中央部でＸ字状に連結交差させたＸ字型脚５ａ、５ｂ、５ｃ、５ｄを有し、後側左右には鉛直に延びる長寸パイプ６ａ、６ｂを有する。各Ｘ字型脚の２本のパイプは中央部で回動自在に連結されており、２本のパイプ間の角度は０〜１８０°の任意角度にすることができる。隣接するＸ字型脚は、下端が脚下端連結具により連結されている。即ち、前側Ｘ字型脚５ａと左側Ｘ字型脚５ｃは脚下端連結具８ａで、前側Ｘ字型脚５ａと右側Ｘ字型脚５ｄは脚下端連結具８ｂで、後側Ｘ字型脚５ｂと左側Ｘ字型脚５ｃは脚下端連結具８ｃで、後側Ｘ字型脚５ｂと右側Ｘ字型脚５ｄは脚下端連結具８ｄでそれぞれ連結されている。脚下端連結具８ｃ、脚下端連結具８ｄには、長寸パイプ６ａ、６ｂもそれぞれ連結されている。各脚下端連結具に連結されたＸ字型脚のパイプは脚下端連結具に対して回動可能に連結されている。
【００１１】
隣接するＸ字型脚の上端側は、脚上端連結具により連結されている。即ち、前側Ｘ字型脚５ａと左側Ｘ字型脚５ｃは脚上端連結具９ａで、前側Ｘ字型脚５ａと右側Ｘ字型脚５ｄは脚上端連結具９ｂで、後側Ｘ字型脚５ｂと左側Ｘ字型脚５ｃは脚上端連結具９ｃで、後側Ｘ字型脚５ｂと右側Ｘ字型脚５ｄは脚上端連結具９ｄでそれぞれ連結されている。各脚上端連結具に連結されたＸ字型脚のパイプは脚上端連結具に対して回動可能に連結されている。後側の脚上端連結具９ｃ、９ｄには挿通孔が設けられ、長寸パイプ６ａ、６ｂがそれぞれ摺動可能に挿通されている。前側Ｘ字型脚５ａの各パイプの上端側は、脚上端連結具９ａ、９ｂの上方に延出する長さに形成して取り付けてあり、延出部の先には肘置きシート部材３を取り付けるための水平外側に折り曲げた水平折り曲げ部１３ａ、１３ｂが形成してある。
【００１２】
座面部と背もたれ部を構成するシート部材２は、前側Ｘ字型脚５ａと後側の長寸パイプ６ａ、６ｂを利用して取り付けてある。シート部材２の前側左右には孔１１ａ、１１ｂが設けてあり、その孔に前側Ｘ字型脚５ａの左右パイプの上端側が挿通されている。孔１１ａ、１１ｂが設けられた部分のシート部材２は脚上端連結具９ａ、９ｂに支持されるため、座部に人が座っても落下しない。シート部材２の座部後端位置に当たる部分の左右にも孔１２ａ、１２ｂが設けてあり、その孔に長寸パイプ６ａ、６ｂが挿通されている。孔１２ａ、１２ｂが設けられた部分のシート部材２は、脚上端連結具９ｃ、９ｄに支持される。
【００１３】
シート部材２の背もたれ部に当たる上部左右には、下側に入口を有する細長い袋状部が形成されており、その袋状部に左右の長寸パイプ６ａ、６ｂの上端部を挿入し、留め具で固定して背もたれ部を形成している。左右の肘置きシート部材３ａ、３ｂは細長のシートで、前側Ｘ字型脚５ａの上端に設けた水平折り曲げ部１３ａ、１３ｂと、後側の長寸パイプ６ａ、６ｂとの間に取り付けてある。肘置きシート部材３ａ、３ｂの前端部には、座部側に入口を有する細長い袋状部が形成されており、その袋状部に左右の水平折り曲げ部１３ａ、１３ｂを挿入して留め具で固定してある。肘置きシート部材３ａ、３ｂの後端部には孔を設けて長寸パイプ６ａ、６ｂが挿通されている。孔を設けた後端部は座部を支持するシート部材２の孔１２ａ、１２ｂの上方にあって、脚上端連結具９ｃ、９ｄに支持される。
【００１４】
次に、本考案の特徴である脚下端連結具８ａ、８ｂ、８ｃ、８ｄの構成について説明する。脚下端連結具８ａ、８ｂ、８ｃ、８ｄは全て同一形状である。図４はそのうちの１個の脚下端連結具８の外観斜視図、図５はそれを反対側から見た外観斜視図、図６は平面図であり前側Ｘ字型脚５ａと右側Ｘ字型脚５ｄの下部を連結する脚下端連結具８ｂを椅子前側から見た平面図に相当する。
【００１５】
脚下端連結具８は略正方形の板２０と、該板２０の上面に立設した円形断面の内孔２１を有する略円筒状の嵌合部２２と、該嵌合部２２の外面から内孔２１の中心線から放射方向に板２０の縁まで延出された第１の立壁２３と、該第１の立壁２３と嵌合部２３の接合部から第１の立壁２３に直交する方向に板２０の縁まで延出された第２の立壁２４とから構成される。第１の立壁２３、第２の立壁２４の高さは嵌合部２２の高さと同じにしてある。
【００１６】
第１の立壁２３には、嵌合部２２との接合部から板２０の縁方向にＸ字型脚のパイプ径の１．２〜２倍離れた位置に第１の立壁２３の表裏を貫く第１の丸孔２６が形成してある。第１の丸孔２６の中心高さは第１の立壁２３の高さの略１／２にしてある。第２の立壁２４にも、嵌合部２２との接合部から板２０の縁方向にＸ字型脚のパイプ径の１．２〜２倍離れた位置に第２の立壁２３の表裏を貫く第２の丸孔２７が形成してある。第２の丸孔２７の中心高さは第１の丸孔２６の高さと同じにしてある。この第１、第２の丸孔２６、２７はＸ字型脚の下端を回動自在に固定するためのものである。
【００１７】
略円筒状の嵌合部２２の側壁にも内孔２１の中心に向けて貫通する第３、第４の丸孔２８、２９が形成してある。第３の丸孔２８は、第１の立壁２３とは内孔２１の中心を挟んだ反対側に形成されている。第４の丸孔２９は、第３の丸孔２８を第１の立壁２３方向に９０°水平旋回した位置に形成されている。この第３、第４の丸孔２８、２９は、長寸パイプ６ａ、６ｂの下端を固定するためのものである。
【００１８】
本考案の一番の特徴として、脚下端連結具８には第５の丸孔３０が形成してある。第５の丸孔３０は、略正方形の板２０を上下に貫通して設けてある。その位置は、第１の立壁２３の側方であって第２の立壁２４とは反対側であり、第１の立壁２３の第１の丸孔２６よりは第１の立壁２３の先端寄り位置である。この第５の丸孔３０は、地表に置いた脚下端連結具８を杭でもって地面に固定するためのものである。
【００１９】
図７は、前右側下端の脚下端連結具８ｂに前側Ｘ字型脚５ａのパイプ５ａａと右側Ｘ字型脚５ｄのパイプ５ｄｄの下端を固定した状態を前側から見た斜視図である。パイプ５ａａは、第１の立壁２３に設けた第１の丸孔２６を利用して連結する。連結は、パイプ５ａａの下端近くに横孔を設け、その横孔と第１の丸孔２６にボルト３１を挿通し、パイプ５ａａを脚下端連結具８ｂに回動自在に連結する。右側Ｘ字型脚５ｄのパイプ５ｄｄも同様の方法で、第２の立壁２４に設けた第２の丸孔２７を利用して回動自在に連結する。前左側下端の脚下端連結具８ａの連結構造は、図７を左右対称にした構造となる。
【００２０】
図８は、後左側下端の脚下端連結具８ｃに左側Ｘ字型脚５ｃのパイプ５ｃｃと後側Ｘ字型脚５ｂのパイプ５ｄｄと長寸パイプ６ａの下端を固定した状態の斜視図である。長寸パイプ６ａは、下端を嵌合部２２の内孔２１に挿入する。そして、第３、第４の丸孔２８、２９に先端部に雄ねじを設けたボルト３２を挿通し、長寸パイプ６ａの下端近くに設けた雌ねじを設けた横孔にねじ込んで抜け防止を図っている。後右側下端の脚下端連結具８ｄの連結構造は、図８を左右対称にした構造となる。
【００２１】
このようにして取り付けた各脚下端連結具８に設けてある第５の丸孔３０は、各脚下端連結具８を地面に固定するために使用する。即ち、前右側下端の脚下端連結具８ｂの場合は、図９に示すように杭３３を第５の丸孔３０を通して地面に打ち込む。後左側下端の脚下端連結具８ｃの場合も同様に、図１０に示すように杭３３を第５の丸孔３０を通して地面に打ち込む。他の脚下端連結具８ｂ、８ｄも同様にして杭３３で地面に固定する。別の方法として、杭３３で固定することに代えて、紐を第５の丸孔３０に通し、その紐を近くの杭等の固定物に固定して椅子を固定してもよい。
【００２２】
以上説明したように、本実施形態の折り畳み椅子１では各脚下端連結具８に第５の丸孔３０が設けてあるので、その第５の丸孔３０を通して杭３３を地面に打ち込むことにより折り畳み椅子１を地面に固定することができる。これにより、日差しを避けるためのパラソルを取り付けた状態で椅子から離れている間に少し位の風が吹いても椅子の転倒が防止される。パラソルの重量により重心移動して椅子が傾いたり転倒したりすることも防止される。
【符号の説明】
【００２３】
図面中、１は折り畳み椅子、４は椅子本体、５ａ、５ｂ、５ｃ、５ｄはＸ字型脚、６ａ、６ｂ長寸パイプ、８ａ、８ｂ、８ｃ、８ｄは脚下端連結具、２０は板、２１は内孔、２２は嵌合部、２３は第１の立壁、２４は第２の立壁、２６は第１の丸孔、２７は第２の丸孔、２８は第３の丸孔、２９は第４の丸孔、３０は第５の丸孔、３３は杭を示す。
【図１】
0003188028.tif 000003
【図２】
0003188028.tif 000004
【図３】
0003188028.tif 000005
【図４】
0003188028.tif 000006
【図５】
0003188028.tif 000007
【図６】
0003188028.tif 000008
【図７】
0003188028.tif 000009
【図８】
0003188028.tif 000010
【図９】
0003188028.tif 000011
【図１０】
0003188028.tif 000012
【図１１】
0003188028.tif 000013